(57)【要約】【課題】電子媒体に組み込まれたデータを電位治療器に取り付けるのみでよいので自宅でも患者自身で簡単に操作できる。【解決手段】血液を採取して白血球分画の顆粒球とリンパ球との比率の検査結果に基づいて電位治療器の周波数、電圧、駆動時間並びに周波数波形等の少なくとの１つの治療データを決めてこのデータを電子媒体に書き込んだ後、電子媒体を電位治療器に設置する。【選択図】  図１
2004243047.tif 000002
【特許請求の範囲】
【請求項１】
血液を採取して白血球分画の顆粒球とリンパ球との比率を検査する工程と；
検査結果を基に電位治療器の周波数、電圧、駆動時間並びに周波数波形等の少なくとの１つの治療条件を決める工程と；
前記治療条件の情報を電子媒体に書き込む工程と；
前記電子媒体を電位治療器に設置して、該電位治療器を電子媒体に書き込まれた情報を基に駆動する工程と；
を備える電位治療システム。
【請求項２】
血液を採取して白血球分画の顆粒球とリンパ球との比率を検査する工程と；
検査結果を基に電位治療器の周波数、電圧、駆動時間並びに周波数波形等の少なくとも１つの治療条件を決める工程と；
前記治療条件の情報を電子媒体に書き込む工程と；
前記電子媒体を電位治療器に設置して、該電位治療器を電子媒体に書き込まれた情報を基に駆動する工程と；
ここで、前記電子媒体は、有効期限を付けて発行され、かつ前記駆動時間が終了した時、有効期限が切れた時、前記電子媒体の情報により前記電位治療器は動作を停止し、
を備える電位治療システム。
【請求項３】
血液を採取して白血球分画の顆粒球とリンパ球との比率を検査する工程と；
検査結果を基に電位治療器の周波数、電圧、駆動時間並びに周波数波形等の少なくとも１つの治療条件を決める工程と；
前記治療条件の情報を医療管理機関に送り、該機関で該情報を電子媒体に書き込む工程と；
前記電子媒体を依頼者に送る工程と；
前記電子媒体を電位治療器に設置して、該電位治療器を電子媒体に書き込まれた情報を基に駆動する工程と；
を備える電位治療システム。
【請求項４】
血液を採取して白血球分画の顆粒球とリンパ球との比率を検査する工程と；
検査結果を基に電位治療器の周波数、電圧、駆動時間並びに周波数波形等の少なくとの１つの治療条件を決める工程と；
前記治療条件の情報を電子媒体に書き込む工程と；
前記電子媒体を電位治療器に設置して、該電位治療器を電子媒体に書き込まれた情報を基に駆動する工程と；
ここで、自宅や事務所等に前記電位治療器を設置して前記電子媒体を持っている人に電位治療器を使わせて使用料を徴収する電位治療システム。
【請求項５】
周波数；３０ｋＨｚから５０ｋＨｚ、電圧；５００ボルトから５０００ボルトを人体に印加して微弱電流を流し、かつ周波数波形は、正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力して白血球分画の顆粒球を減少してリンパ球を増やすことを特徴とする請求項１、２、３又は４記載の電位治療システム。
【請求項６】
請求項１、２、３又は４記載の電位治療器の周波数、電圧、駆動時間並びに周波数波形等の少なくとの１つの治療条件の情報を記憶した電子媒体。
【請求項７】
前記情報を書き込み及び消去可能な記憶素子を内蔵した請求項６記載の電子媒体。
【請求項８】
電子媒体を設置する取り付け装置を備える電位治療器。
【請求項９】
請求項１、２、３又は４記載の電位治療器の周波数、電圧、駆動時間並びに周波数波形等の少なくとの１つの治療条件の情報を電子媒体に書き込むための情報書込装置。
【発明の詳細な説明】
【０００１】
【産業上の利用分野】
本発明は、自律神経の働きを調整するために電位治療システム、電子媒体及び情報書込装置に関する。
【０００２】
【従来の技術】
人間の血液１立方ｍｍ中に赤血球５００個、白血球５０００個から８０００個が含まれている。また、白血球分画の５４〜６０％は、顆粒球であり、３５〜４１％はリンパ球である。そして、心配事や過労等心身のストレスがあると、自律神経、すなわち交感神経と副交感神経とのバランスが乱れやすくなり、これに連動して顆粒球とリンパ球のバランスも乱れることが知られている。
【０００３】
かくして、交感神経が優位になると、顆粒球が増大し、かつ心臓の拍動が増えて血管が収縮して血圧が上がり心身は活動モードに入る。副交感神経が優位になると、リンパ球が増え、かつ心臓の拍動が抑えられて血管は拡張して血液循環が良くなり、血圧がさがってリンパ球が増えて心身は休息モードに入る。
【０００４】
これら交感神経と副交感神経に連動する顆粒球とリンパ球の割合を制御する東洋医学における物理的処方として、所定のツボに針を刺して針に通電させる方法が知られている。この処方では、専門の医師がツボの位置を診て通電を行っている。従って、患者は専門の医師にその都度病院等に赴き治療をしてもらわなければならない。このため、患者にとって時間の制約や煩わしさがあった。
【０００５】
【発明が解決しようとする技術課題】
本発明は、従来のこのような問題点を解決することを鑑みてなされたもので、その目的は、患者が血液検査の白血球分画の顆粒球とリンパ球との比率の検査データを基に、電位治療器を駆動するのみで苦痛がなく、また、時間の制約を受けずに家庭であっても簡単に自律神経を調節することができ、さらに自宅や事務所等に電位治療器を設置して電子媒体を持っている人に電位治療器を使わせて該使用料を徴収することにより収入を得ることができる電位治療システム及び治療データを書き込んだ電子媒体及び情報書込装置を提供し、かくして医師の支持の基により電位治療器の周波数、電圧、駆動時間並びに周波数波形の書き込まれた電子データを持つことにより電位治療器の設置されている場所であればどこでも治療を受けることができる。
【０００６】
【技術課題を達成するための手段】
請求項１に係る電位治療システムは、血液を採取して白血球分画の顆粒球とリンパ球との比率を検査する工程と；検査結果を基に電位治療器の周波数、電圧、駆動時間並びに周波数波形等の少なくとの１つの治療条件を決める工程と；前記治療条件の情報を電子媒体に書き込む工程と；前記電子媒体を電位治療器に設置して、該電位治療器を電子媒体に書き込まれた情報を基に駆動する工程と；を備える。
【０００７】
請求項２に係る電位治療システムは、血液を採取して白血球分画の顆粒球とリンパ球との比率を検査する工程と；検査結果を基に電位治療器の周波数、電圧、駆動時間並びに周波数波形等の少なくとも１つの治療条件を決める工程と；前記治療条件の情報を電子媒体に書き込む工程と；前記電子媒体を電位治療器に設置して、該電位治療器を電子媒体に書き込まれた情報を基に駆動する工程と；ここで、前記電子媒体は、有効期限を付けて発行され、かつ前記駆動時間が終了した時、有効期限が切れた時、前記電子媒体の情報により前記電位治療器は動作を停止し；を備える。
【０００８】
請求項３に係る電位治療システムは、血液を採取して白血球分画の顆粒球とリンパ球との比率を検査する工程と；検査結果を基に電位治療器の周波数、電圧、駆動時間並びに周波数波形等の少なくとも１つの治療条件を決める工程と；前記治療条件の情報を医療管理機関に送り、該機関で該情報を電子媒体に書き込む工程と；前記電子媒体を依頼者に送る工程と；前記電子媒体を電位治療器に設置して、該電位治療器を電子媒体に書き込まれた情報を基に駆動する工程と；を備える。
【０００９】
請求項４に係る電位治療システムは、血液を採取して白血球分画の顆粒球とリンパ球との比率を検査する工程と；検査結果を基に電位治療器の周波数、電圧、駆動時間並びに周波数波形等の少なくとの１つの治療条件を決める工程と；前記治療条件の情報を電子媒体に書き込む工程と；前記電子媒体を電位治療器に設置して、該電位治療器を電子媒体に書き込まれた情報を基に駆動する工程と；ここで、自宅や事務所等に前記電位治療器を設置して前記電子媒体を持っている人に電位治療器を使わせて使用料を徴収する。
【００１０】
請求項５に係る電位治療システムは、周波数；３０ｋＨｚから５０ｋＨｚ、電圧；５００ボルトから５０００ボルトを人体に印加して微弱電流を流し、かつ周波数波形は、正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力して白血球分画の顆粒球を減少してリンパ球を増やすことを特徴とする。
【００１１】
請求項６に係る電子媒体は、請求項１、２、３又は４記載の電位治療器の周波数、電圧、駆動時間並びに周波数波形等の少なくとの１つの治療条件の情報を記憶する。
【００１２】
請求項７に係る電子媒体は、前記情報を書き込み及び消去可能な記憶素子を内蔵する。
【００１３】
請求項８に係る電位治療器は、電子媒体を設置する取り付け装置を備える。
【００１４】
請求項９に係る情報書込装置は、請求項１、２、３又は４記載の電位治療器の周波数、電圧、駆動時間並びに周波数波形等の少なくとの１つの治療条件の情報を電子媒体に書き込む。
【００１５】
【発明の実施の形態】
以下、本発明の実施例を添付図面を参照して詳述する。
図１は、白血球分画の顆粒球とリンパ球との比率を調整する方法を示すフローチャートである。患者は、まず病院等に行き、医師の基で最初に血液を採取する（工程１）。病院等の血液検査機関は、白血球分画の顆粒球とリンパ球との比率を検査する（工程２）。医師は、検査結果に基づいて電位治療器の周波数、電圧、駆動時間並びに周波数波形等の少なくとも１つの治療条件を決める（工程３）。医師の支持により決められた電位治療器の周波数、電圧、駆動時間並びに周波数波形等の少なくとも１つの治療条件の情報が電子媒体に書き込まれる（工程４）。患者は病院内の電位治療器の設置してある場所に行き、電位治療器に電子媒体を設置して、電位治療器のスイッチをオンにする。また、患者が自宅等に電位治療器がある場合は、自宅の電位治療器に、自宅になく集会場にある場合はその場所の電位治療器に電子媒体を設置して、電位治療器のスイッチをオンにする（工程５）。かくして、患者が電位治療器の作用を受けることにより白血球分画の顆粒球とリンパ球との比率が調整される。
【００１６】
患者は、電位治療器で１ヶ月から数ヶ月間治療をした後、病院等で血液検査をして白血球分画の顆粒球とリンパ球との比率を検査する。その結果に基づいて医師は、電位治療器の周波数、電圧、駆動時間並びに周波数波形等の少なくとも１つの治療条件を決める。その決められた治療条件の情報を電子媒体に再書き込みする。この工程は、患者の白血球分画の顆粒球とリンパ球との比率が正常値になるまで繰り返される。
【００１７】
自宅に電位治療器を持っていない患者や病院での長い待時間を待てない患者のために、自宅や事務所等に電位治療器を設置して電子媒体を持っている人に電位治療器を使わせて使用料を徴収する電位治療サービスが提供される。
【００１８】
さらに、医師によって電位治療器の周波数、電圧、駆動時間並びに周波数波形等の少なくとも１つの治療条件が決められた後、その決められた治療条件の情報を電子媒体に再書き込みする場合、医師又はその医師が在籍する病院等１で該情報を電子媒体に再書き込みする以外に第三者機関である医療管理機関２で該情報を電子媒体に再書き込みすることも出来る。そして、医療管理機関２は、電子媒体を依頼者である医師に送る。但し、医療管理機関に医師等管理責任者が在籍している場合は、該機関は書き込まれた情報の電子媒体を依頼者である患者３の自宅等の指定場所に直接送付することもできる。
【００１９】
電子媒体は、電子メール、ＩＣカード、磁気カード、ＣＤ−ＲＯＭ、フロッピーディスク等である。また、前記治療条件のデータは、患者のパーソナルコンピュータへ送信してもよい。この場合、患者は、予め登録されているＩＤ番号、パスワードを前記コンピュータの画面から入力することにより治療データを得ることができる。なお、この電子媒体には、患者の白血球分画の顆粒球とリンパ球との比率データの他に患者の他の検査結果データが書き込まれるようにしてもよい。電子媒体は、電位治療器の周波数、電圧、駆動時間並びに周波数波形等の少なくとも１つの治療条件を書き込み及び消去可能な記憶素子、例えばＥＥＰＲＯＭが内蔵されている。この記憶素子に前記治療条件のデータを書き込みための書き込み装置が病院や上記の医療管理機関に用意されている。
【００２０】
電子媒体は、有効期限が付けられており、有効期限が経過すると、電位治療器は動作しない。また、治療データの中で駆動時間が決められている場合も、所定の駆動時間を経過すると電位治療器は停止する。電位治療器は、電子媒体を挿入する挿入口を備える。この挿入口は、患者の手の届く場所、例えば椅子に腰掛けた場合は、腕を載せる台に設けられる。
【００２１】
電位治療器は、椅子型、布団型又は座布団型がある。電位治療器は、商用電源１００ボルトの電圧を制御装置に組み込まれた電圧変換回路（トランス）によって所定の電圧に変換し、インバータ回路、安全回路（高いインピーダンス素子）、変調回路等を備えた制御装置を通して出力端子に導く。出力端子の一端は大地に接続され、他端は大地より絶縁された電極に接続され、その電極から人体に高電位を負荷させる。周波数は、約３０ｋＨｚから約５０ｋＨｚ、出力電圧は、約５００ボルトから約５０００ボルト、電流は、１．０ｍＡから０．００５ｍＡである。
【００２２】
ここで、制御装置である電源回路のブロック図は、図３に示されている。該図の電源回路は、周波数可変及び振幅可変回路、インバータ回路及び復調回路を備える。この電源回路から出力される出力波形は、正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つである。そして、この電源回路は、周波数の任意の波形で出力して白血球分画の顆粒球とリンパ球との比率を調整する調整手段を構成する。
【００２３】
図３において、符号１０は、１００Ｖ、５０〜６０Ｈｚ用商用電源用コンセントである。商用電源から出力は、電源回路１２に入力する。電源回路の出力は、振幅・周波数可変回路１４に入力される。振幅・周波数可変回路１４は、ボリューム１６と、可変インダクタ１８を備える。入力信号の振幅の大きさは、ボリューム１６により可変され、一方、周波数は、可変インダクタ１８の可変により可変される。増幅・変調回路（インバータ回路）２０は、プッシュプル発振回路２２と、このプッシュプル発振回路により電圧を昇圧し、及び該電位を高周波で変調するための高周波トランス２４を備える。かくして、出力波形の振幅は、可変インダクタを可変させることで出力波形の周波数を実際の負荷に合わせて自由に調整できる。また、ボリューム及び可変インダクタの機能は自動制御が可能である。なお、増幅・変調回路（インバータ回路）２０の出力は、復調回路２６に入力される。復調回路は、ダイオード２８、抵抗３０、コンデンサ３２を備える。
【００２４】
かくして、約３０ｋＨｚから約５０ｋＨｚの周波数、約５００ボルトから約５０００ボルトを人体に印加して微弱電流を流し、かつ前記周波数を任意の波形で出力することにより、白血球分画の顆粒球とリンパ球との比率を調整し、白血球分画の顆粒球は減少してリンパ球が増加する。顆粒球の減少は、交感神経の緊張を抑えて活性酸素を減らす。一方、リンパ球の増加は、副交感神経を優位にして血液を回復させて免疫力を高める。
【００２５】
【実施例】
当社の電位治療器である「ビバックス」（商標名）を使用して白血球分画の顆粒球とリンパ球との比率を調整する実験を行った。実験に際して、上述した図４に示すベッド台に人を寝かせて行った。このベッド台は、絶縁ゴム５を取り付けた４本の脚部に水平板を置き、この上にマット６を介して布団７を敷いてある。布団の上面で横に寝た人の腰付近に通電パット８を置き、一方枕の下側又は枕内部に対電極１０を置いた。そして、通電パット８に制御装置４から高圧電圧を加える。対電極１０は床でアースを取る。出力電圧を９５０ボルト、電流を１．０ｍＡ、出力周波数を３８．５ｋＨｚの＋側正弦波交流を使用して実験を行なった。ここで、サンプル数（顆粒球が多く、リンパ球の少ない人、また脈拍数の多い人）は、３２である。この３２人に上述図４のベッド型の電位治療器である「ビバックス」（商標名）を使用して上述した条件で治療を行なった結果、白血球分画の顆粒球とリンパ球との比率に改善が認められた。試験方法は、以下にして行った。まず、仰向位で脈拍測定プローブを耳垂に取り付けた後、血液を２ｃｃ採血し、人を電位治療器で１５分間上記条件で電位をかけた。そして、１５分後に再度血液を採血した。
【００２６】
それぞれの結果を図５及び図６に示す。図５は、電位治療を行う前後での白血球分画の顆粒球とリンパ球の割合の変化を示す図である。図６は、電位治療を行う前後での脈拍数の変化を示す図である。図５に示すように、電位をかける前と後において、顆粒球は、約６４％から約６０％に減少し、一方リンパ球は、約３１％から約３５％に増加していることがわかる。一般に、顆粒球とリンパ球と比率において、顆粒球の正常値は、約５４％〜約６０％、リンパ球の正常値は、約３５％〜約４１％である。従って、顆粒球とリンパ球と比率が、正常値に入ったことが確認できた。また、図６に示すように、脈拍数において、その前後で約７０から約６５減少していることがわかる。脈拍の正常値は、約６５である。かくして、顆粒球が多く、リンパ球の少ない人は、正常値に近づき、また脈拍数の高い人も正常値に近づいている。
【００２７】
顆粒数が増えると交感神経が優位になり、心臓の拍動が増えて血管が収縮して血圧が上昇する。電位治療器で電位をかけることにより顆粒球が減少してリンパ球が増えることにより、副交感神経が優位になり心臓の拍動が抑えられ血管が拡張して血液循環が良くなり血圧が抑えられて心身は休息モードに入る。
【００２８】
また、過労等心身のストレスがあると、交感神経と副交換神経のバランスが乱れやすくなり、これに連動して顆粒球とリンパ球のバランスも乱れるようになる。ストレスは交感神経を緊張させ顆粒球を増やす。かくして、電位治療器で電位をかけることにより顆粒球が減少してリンパ球が増えることにより、副交感神経が優位になりストレスが緩和される。
【００２９】
このように電位治療器で電位をかけることにより交感神経を抑え、副交感神経を優位にする作用がある。その結果、リンパ球が増え、血流がよくなって免疫力が高まる。
【００３０】
【発明の効果】
本発明に係る白血球分画の顆粒球とリンパ球との比率を調整する方法によれば患者が血液検査の白血球分画の顆粒球とリンパ球との比率の検査データを基に、電位治療器を駆動するのみで苦痛がなく、また、時間の制約を受けずに家庭であっても簡単に自律神経を調節することができる。また本発明に係る電位治療器によれば電子媒体に組み込まれたデータを電位治療器に取り付けるのみでよいので自宅でも患者自身で簡単に操作できる。また本発明に係る電位治療サービスによれば自宅や事務所等に電位治療器を設置して電子媒体を持っている人に電位治療器を使わせて使用料を徴収することにより収入を得ることができる。また本発明に係る電子媒体によれば白血球分画の顆粒球とリンパ球との比率の電子データを持つことにより電位治療器の設置されている場所であればどこでも治療を受けることができる。
【図面の簡単な説明】
【図１】図１は、白血球分画の顆粒球とリンパ球との比率を調整する方法を示すフローチャートである。
【図２】図２は、電位治療サービスの他の実施例を示す概略図である。
【図３】図３は、電源回路を示すブロック図である。
【図４】図４は、ベッド型の電位治療装置を示す概略図である。
【図５】図５は、電位治療を行う前後での顆粒球とリンパ球の割合の変化を示す図である。
【図６】図６は、電位治療を行う前後での脈拍数の変化を示す図である。
【符号の説明】
１；病院等
２；集中医療管理機関
３；電子媒体
５；絶縁ゴム５
６；マット
７；布団
８；通電パット
９；脚部９
１０；対電極
１２；電源回路
１４；振幅・周波数可変回路
１６；ボリューム
１８；可変インダクタ
２０；増幅・変調回路（インバータ回路）
２２；プッシュプル発振回路
２４；高周波トランス
【図１】
2004243047.tif 000003
【図２】
2004243047.tif 000004
【図３】
2004243047.tif 000005
【図４】
2004243047.tif 000006
【図５】
2004243047.tif 000007
【図６】
2004243047.tif 000008